【事件の表示】
　平成　３年特許願第２３７３３７号「液晶表示方法」拒絶査定に対する審判事件［平成　５年　３月　５日出願公開、特開平　５−　５３５２４］について、次のとおり審決する。
【結　論】
　本件審判の請求は、成り立たない。
【理　由】
１．手続の経緯 
　本願は、平成３年８月２３日の出願であって、平成１０年７月２９日付で拒絶査定があり、平成１０年９月１１日付で拒絶査定に対する審判が請求され、平成１２年１１月２７日付で拒絶理由通知が、平成１３年４月１９日付で拒絶理由通知が、平成１３年８月２日付で審尋がなされた。
　
２．拒絶の理由及び審尋の概要
　当審における平成１３年４月１９日付拒絶理由通知書には、概ね次のように記載されている。
「本件出願は、明細書及び図面の記載が下記の点で不備のため、特許法第３６条第４項及び第５項第２号に規定する要件を満たしていない。
　　　　　　　　　　　　　　　　　　　　　　　　　　　　　　　　　　　　　　　　　　　　　　　　　記
Ａ．第３６条第５項第２号について
　
　本願の明細書「特許請求の範囲」請求項１には「白黒用キャラクター表示パネルに用いられる走査電極駆動用コモンドライバー」なる記載があるが、該記載は「コモンドライバー」が「白黒用キャラクター表示パネル」に用いられると言う用途を表しているのか、「コモンドライバー」が「白黒用キャラクター表示パネル」用のものであるという機能を表しているのか不明である。
　また、機能を表すものであるとすれば、カラー表示パネル駆動用に通常用いられている走査電極駆動用ドライバーと如何なる相違点を有する「ドライバー」であるのか不明である。
　したがって、本願発明の構成の１つである「白黒用キャラクター表示パネルに用いられる走査電極駆動用コモンモードドライバー」が如何なるものであるのか不明である。
　
　また、請求項１に記載された「キャラクタータイプコントローラ駆動用集積回路」は、白黒用であるかカラー用であるか不明であるが、白黒用とした場合、「表示パネルの各キャラクターの指定色を入力」する「入力部」を有するものとは認められず、カラー用とした場合、１キャラクター分の出力端にＲＧＢ３色分の出力端が存在するから、「３キャラクター分の出力端から前記キャラクター表示パネルの１キャラクターのカラーフィルター群に」オンオフ信号を入力するとは如何なる信号を如何なる理由により３キャラクター分の出力端より入力しているのか不明である。
　更に、「３キャラクター分の出力端から前記キャラクター表示パネルの１キャラクターのカラーフィルター群に一対一の関係でオン、オフ信号を入力する」なる記載では、「出力端」と「カラーフィルター群」とがどの様な接続関係にあるのか不明である。
　
Ｂ．第３６条第４項について
　
　本願の明細書「発明の詳細な説明」第０００３段落、第０００４段落には、本願発明は「表示するキャラクターが限定されている液晶表示装置」に関するものであると記載されているが、第００１０段落には本願発明の実施例として「キャラクター表示パネル１の各キャラクターは、５×８の計４０画素４より構成されている。」と記載されており、「表示するキャラクターが限定されている液晶表示装置」であるものとは認められない。
　
　本願の明細書「発明の詳細な説明」第０００５段落（「特許請求の範囲」請求項１の記載と同じ）には「カラーフィルター群」に信号を送出するのは「キャラクタータイプコントローラ駆動集積回路」の出力端と記載されているが、実施例においては、前記信号は「セグメントドライバー」の出力より送出されており、対応がとれていない。
　また、「キャラクタータイプコントローラ駆動集積回路」と「セグメントドライバー」の関係が不明である。」
　
　また、平成１３年８月２日付審尋の概要は次のとおりである。
「平成１３年７月４日付手続補正書によって補正された、特許請求の範囲請求項１の、
『【請求項１】　キャラクター表示パネルと、白黒用キャラクターの表示に用いられるキャラクタータイプコントローラ駆動用集積回路とを有する液晶表示装置において、前記キャラクタータイプコントローラ駆動用集積回路の走査電極駆動用コモンドライバーおよび信号電極用セグメントドライバーを用いてカラー表示する液晶表示方法であって、
白黒表示における３キャラクターによりカラー表示における１キャラクターを表示するように構成し、
前記キャラクタータイプコントローラ駆動用集積回路の入力部に前記表示パネルの各キャラクターの指定色を入力し、該入力に応じて白黒表示における３キャラクター分の出力端から前記キャラクター表示パネルのカラー表示における１キャラクターのカラーフィルター群に一対一の関係でオン、オフ信号を入力することによりカラー表示を行なう
ことを特徴とする液晶表示方法。』
なる記載より、『キャラクタータイプコントローラ駆動用集積回路』は『白黒用キャラクターの表示に用いられる』ものであるあることは明らかである。
　
　しかしながら、請求項１に記載された『キャラクタータイプコントローラ駆動用集積回路』は『白黒用』であるから、『表示パネルの各キャラクターの指定色を入力』する『入力部』を有するものとは認められない。
　
　なお、『白黒用キャラクターの表示に用いられるキャラクタータイプコントローラ駆動用集積回路』を使用して『カラー表示』を行わせるためには、『指定色』情報に基づいて『セグメントドライバー』の出力端を駆動するための信号を加工し、該加工した信号を『キャラクタータイプコントローラ駆動用集積回路』に与えることにより、赤、緑、青の各色に対応したセグメントをオン・オフ駆動しカラー表示を行う旨、出願人は平成１３年７月３１日に電話により回答しているが、セグメントドライバーの出力端を駆動するための信号を加工することは明細書に記載されていない。
　そして、前記加工した信号を『キャラクタータイプコントローラ駆動用集積回路』に入力するものであるとしても、『指定色』を直接『キャラクタータイプコントローラ駆動用集積回路』に入力するものではない。
　
　この点につき、釈明する点があれば、回答書を提出されたい。」
　
３．本願明細書等の記載
　平成１０年６月１６日付手続補正書、平成１０年９月２８日付手続補正書、平成１３年２月２日付手続補正書および平成１３年７月４日付手続補正書により補正された明細書には次の記載がある。
　「【特許請求の範囲】
　　　　　【請求項１】　キャラクター表示パネルと、白黒用キャラクターの表示に用いられるキャラクタータイプコントローラ駆動用集積回路とを有する液晶表示装置において、前記キャラクタータイプコントローラ駆動用集積回路の走査電極駆動用コモンドライバーおよび信号電極用セグメントドライバーを用いてカラー表示する液晶表示方法であって、
白黒表示における３キャラクターによりカラー表示における１キャラクターを表示するように構成し、
前記キャラクタータイプコントローラ駆動用集積回路の入力部に前記表示パネルの各キャラクターの指定色を入力し、該入力に応じて白黒表示における３キャラクター分の出力端から前記キャラクター表示パネルのカラー表示における１キャラクターのカラーフィルター群に一対一の関係でオン、オフ信号を入力することによりカラー表示を行なう
ことを特徴とする液晶表示方法。」（特許請求の範囲）
「　　　　【０００５】　【課題を解決するための手段】
　本発明の液晶表示方法は、キャラクター表示パネルと、白黒用キャラクターの表示に用いられるキャラクタータイプコントローラ駆動用集積回路とを有する液晶表示装置において、前記キャラクタータイプコントローラ駆動用集積回路の走査電極駆動用コモンドライバーおよび信号電極用セグメントドライバーを用いてカラー表示する液晶表示方法であって、白黒表示における３キャラクターによりカラー表示における１キャラクターを表示するように構成し、前記キャラクタータイプコントローラ駆動用集積回路の入力部に前記表示パネルの各キャラクターの指定色を入力し、該入力に応じて白黒表示における３キャラクター分の出力端から前記キャラクター表示パネルのカラー表示における１キャラクターのカラーフィルター群に一対一の関係でオン、オフ信号を入力することによりカラー表示を行なうことを特徴としている。」（段落０００５）
　「　　　【０００７】　【作用】
　本発明においては、各キャラクターの赤フィルター、緑フィルターおよび青フィルターに、キャラクタータイプコントローラ駆動用集積回路の各赤フィルター駆動群、緑フィルター駆動群および青フィルター駆動群から入力を行なうことにより、キャラクター表示パネルの各キャラクターの表示を行なうと共に、各キャラクターの各カラーフィルター群を一対一の関係にてオン、オフしてカラー表示を行なっているので、複雑な制御装置及び駆動装置を用いることなく簡易にカラー表示を行なうことができる。」（段落０００７）
　「　　　　【００１３】　セグメントドライバー３は、より具体的には各カラーフィルター５を入力される所定の色に応じて起動できるよう、第１文字のＲと一対一で対応して接続される出力群（赤フィルター駆動群）、第１文字のＧと一対一で対応して接続される出力群（緑フィルター駆動群）、同様に第１文字のＢと一対一で対応して接続される出力群（青フィルター駆動群）とからなっている。」（段落００１３）
　「　　　　【００１６】　この状態においてセグメントドライバー３の第１〜５出力端からの信号によりキャラクタ表示パネルの赤色フィルター群のみが起動されると、Ａは赤色に表示される。第６〜１０出力端からの信号によりキャラクタ表示パネルの緑色フィルター群のみが起動されると、Ａは緑色に表示される。第１１〜１５出力端からの信号によりキャラクタ表示パネルの青色フィルター群のみが起動されると、Ａは青色に表示される。第１〜１５出力端からの信号により、キャラクタ表示パネルの赤、緑および青の各カラーフィルター群が同時に起動されると、Ａは白色に表示される。第１〜１０出力端からの信号により、キャラクタ表示パネルの赤および緑色フィルター群が同時に起動されると、Ａは黄色に表示される。第６〜１５出力端からの信号により、キャラクタ表示パネルの緑および青色フィルター群が同時に起動されると、Ａはシアンに表示される。第１〜５および第１１〜１５出力端の信号により、キャラクタ表示パネルの赤および青色フィルターが同時に起動されると、Ａはマゼンタに表示される。
　　　　　【００１７】　なお、セグメントドライバー３の第１〜１５出力端への信号は、３色の文字パターンの信号として、それぞれに対応するセグメントドライバーから供給される。」（段落００１６，００１７）
　
４．当審の判断 
　当審における平成１３年４月１９日付拒絶理由通知書において、特許法第３６条第５項第２号に規定する要件を満たしていないとして指摘した、
「請求項１に記載された「キャラクタータイプコントローラ駆動用集積回路」は、白黒用であるかカラー用であるか不明であるが、白黒用とした場合、「表示パネルの各キャラクターの指定色を入力」する「入力部」を有するものとは認められず、カラー用とした場合、１キャラクター分の出力端にＲＧＢ３色分の出力端が存在するから、「３キャラクター分の出力端から前記キャラクター表示パネルの１キャラクターのカラーフィルター群に」オンオフ信号を入力するとは如何なる信号を如何なる理由により３キャラクター分の出力端より入力しているのか不明である。」
点、特に「「キャラクタータイプコントローラ駆動用集積回路」は、白黒用であるかカラー用であるか不明であるが、白黒用とした場合、「表示パネルの各キャラクターの指定色を入力」する「入力部」を有するものとは認められ」ない点について検討する。
　上記明細書段落０００７、００１３、００１６及び００１７の記載からは、「キャラクタタイプコントローラ駆動用集積回路」の「セグメントドライバー」出力を色別の駆動群とし、各群毎に出力端を駆動制御することによりカラー表示することが読み取れるものの、「キャラクタータイプコントローラ駆動用集積回路の入力部に前記表示パネルの各キャラクターの指定色を入力」することに関しては、明細書段落０００５に特許請求の範囲の欄の記載と同様の事項が記載されているのみである。そして、白黒用である「キャラクタータイプコントローラ駆動用集積回路」は、白黒用であるのだから表示色を指定するための「表示パネルの各キャラクターの指定色を入力」する「入力部」を有するものとは認められないから、依然として、上述の点が不明であり本願発明の構成が不明である。
　
　請求人は、平成１３年７月４日付意見書において、
「　本願発明は、通常の白黒用（モノカラー用）のキャラクターの表示に用いられるキャラクタータイプコントローラ駆動用集積回路（以下、この項においては単に駆動用集積回路という）、例えば株式会社日立製作所製のドットマトリクス液晶表示コントローラドライバを用いていわゆるフルカラー表示を行うことを基本とするものであります。」、
「　このように、前記駆動用集積回路は、カラー表示用のグラフィクタイプドライバーより簡単に液晶表示装置を表示させることができる反面、表示できるのは白黒（モノカラー）に限定され、いわゆるフルカラー表示はなし得ないものなのであります。」、
「　本願発明は、かかるフルカラー表示はなし得ない駆動用集積回路を用いてフルカラー表示をなすものなのであります。このフルカラー表示の実現は、例えば白黒表示時（モノカラー表示時）における駆動用集積回路の出力の１文字目をフルカラー表示における１文字目の赤、同２目文字目をフルカラー表示における１文字目の緑、同３文字目をフルカラー表示における１文字目の青の表示用にそれぞれ割り振ることによりなし得るのであります。」
と述べると共に、
「　すなわち、「コモンドライバー」は、キャラクタータイプコントローラ駆動用集積回路に設けられたものであることが明らかとなり、キャラクタータイプコントローラ駆動用集積回路の入力部に指定色を入力することの意義も明確になり、白黒表示用の３キャラクーの出力端からの出力を、カラー表示における１キャラクターのカラーフィルター群に一対一で入力する意義も明確になり、白黒表示用の３キャラクーの出力端とカラー表示における１キャラクターのカラーフィルター群との接続が明確となった確信する次第であります。」と主張している。
　また、平成１３年８月２日付審尋に対する平成１３年１０月１５日付回答書において、
「従来より、白黒表示用の液晶表示装置において、例えば第１行にＡＢＣをこの順で白色表示をさせる場合には、キャラクタータイプコントローラ駆動用集積回路（以下、単に駆動用集積回路という）に、第１行第１列〜第３列をＡ、Ｂ、Ｃというパターンに選択しかつそれらを白と表示する白黒指定信号を入力することがなされている（参考図１参照）。
　これに対して、本発明において、前記と同一の駆動用集積回路を用いて前記と同様に、第１行にＡ、Ｂ、Ｃをこの順で表示させるとともに、それに加えて液晶表示装置にカラー表示させる場合、例えばＡ、Ｂ、ＣをＲ、Ｇ、Ｂに表示させる場合には、駆動用集積回路に、第１行第１列〜第３列をＡというパターンに選択しかつ第１列をオンとし第２列および第３列をオフとし、第１行第４列〜第６列をＢというパターンに選択しかつ第５列をオンとし第４列および第６列をオフとし、第１行第７列〜第９列をｃというパターンに選択しかつ第７列および第８列をオフとする色指定信号を入力することがなされる（参考図２参照）。
　なお、このようなデータを駆動用集積回路に入力できることは、駆動用集積回路がマイコンなどのコンピュータに直接接続できることから、当業者にとっては自明のことである（例えば、日刊工業新聞社刊　日本学術振興会第１４２委員会編　『液晶デバイスハンドブック』第２８９頁下から１３行〜末行参照）。
　したがって、本発明においては、指定色が駆動用集積回路に直接入力されると言い得るのである。」
と述べている。
　
　しかしながら、上記不明点に関して上記意見書では特段説明されていない。
　また、上記回答書では、キャラクタータイプコントローラ駆動用集積回路の出力によりキャラクター表示パネルをどの様に駆動しカラー表示するのか説明しているものの、該説明はキャラクタータイプコントローラ駆動用集積回路の入力部への指定色の入力に関するものではない。
　更に、キャラクタータイプコントローラ駆動用集積回路がコンピュータに直接接続できることをもって、指定色がキャラクタータイプコントローラ駆動用集積回路に直接入力できることは自明のことである旨主張しているが、通常のカラー表示用信号はＲ、Ｇ、Ｂの各色毎のデータは有するものの「指定色」データを有するものとは認められず、また、白黒用のキャラクタータイプコントローラ駆動用集積回路が「指定色」データを入力するための専用の入力端子を有するとも認められないから、キャラクタータイプコントローラ駆動用集積回路がコンピュータに直接接続できることにより、指定色がキャラクタータイプコントローラ駆動用集積回路に直接入力できることが請求人主張のように自明であるものとは認められない。
　
５．むすび
　
　したがって、本件出願は、特許請求の範囲の記載が、特許を受けようとする発明の構成に欠くことができない事項のみを記載したものとは認められないので、特許法第３６条第５項第２号に規定する要件を満たしていない。
　
よって、結論のとおり審決する。